(57)【要約】【課題】データの記録速度が自動的に変更される場合であっても、ＯＰＣ処理を行うことなく、レーザー光のパワーを適正なレベルとなるようにする。【解決手段】光ヘッド部２７のレーザー光源からＤＶＤに照射されるレーザー光の強度を、記録速度に応じて適したものとするための情報を予めメモリー２９に保持させておき、記録対象データの供給経路の変更時やファイナライズ処理の実行時において、記録速度の変更指示が情報処理部から供給されたときに、ファームウエア制御部２１がメモリー２９の情報に基づいて、光ヘッド部２７のレーザー光源を駆動する駆動電流を制御し、記録速度に応じて最適な強度レベルのレーザー光を照射できるようにする。【選択図】        図２
2004288263.tif 000002
【特許請求の範囲】
【請求項１】
光記録媒体にレーザー光を照射することにより、当該光記録媒体にデータを記録するようにする光記録手段と、
前記光記録手段から照射される前記レーザー光の強度を、記録速度に応じて適したものとするための情報を記憶保持する記憶手段と、
記録するデータに応じて、あるいは、記録するデータの供給経路に応じて、データの記録速度を自動的に変更するようにする変更手段と、
前記変更手段により記録速度が変更される場合に、変更後の記録速度と、前記記憶手段に保持されている情報とに基づいて、前記光記録手段から照射する前記レーザー光の強度を制御する制御手段と
を備えることを特徴とする光記録装置。
【請求項２】
請求項１に記載の光記録装置であって、
前記変更手段は、データを記録していた光記録媒体を読み出し専用のものとするための所定のデータを記録する場合に、データの記録速度を高速度に変更するものであることを特徴とする光記録装置。
【請求項３】
請求項１に記載の光記録装置であって、
記録するデータの前記供給経路として、少なくとも、カメラ部と、外部入力端とを備え、
前記変更手段は、前記カメラ部からのデータが記録対象であるときには、記録速度を標準の記録速度とし、前記外部入力端からのデータが記録対象であるときには、記録速度を標準の記録速度よりも高速な記録速度に変更することを特徴とする光記録装置。
【請求項４】
請求項１、請求項２または請求項３に記載の光記録装置であって、
前記制御手段は、前記光記録手段から照射される前記レーザー光の光源の経時劣化をもの考慮して、前記レーザー光のパワーを制御することを特徴とする光記録装置。
【請求項５】
光記録媒体にレーザー光を照射することにより、当該光記録媒体にデータを記録するようにする光記録方法において、
記録するデータに応じて、あるいは、記録するデータの供給経路に応じて、データの記録速度を自動的に変更するようにする変更ステップと、
前記変更ステップにおいて、記録速度が変更される場合に、変更後の記録速度と、予めメモリーに保持されている情報であって、レーザー光の強度を記録速度に応じて適したものとするための情報とに基づいて、記録に用いる前記レーザー光の強度を制御する制御ステップと
を有することを特徴とする光記録方法。
【請求項６】
請求項５に記載の光記録方法であって、
前記変更ステップにおいては、データを記録していた光記録媒体を読み出し専用のものとするための所定のデータを記録する場合に、記録速度を高速度に変更することを特徴とする光記録方法。
【請求項７】
請求項５に記載の光記録方法であって、
記録するデータの前記供給経路として、少なくとも、カメラ部と、外部入力端とが設けられており、
前記変更ステップにおいては、前記カメラ部からのデータが記録対象であるときには、記録速度を標準の記録速度とし、前記外部入力端からのデータが記録対象であるときには、記録速度を標準の記録速度よりも高速な記録速度に変更することを特徴とする光記録方法。
【請求項８】
請求項５、請求項６または請求項７に記載の光記録方法であって、
前記制御ステップにおいては、照射される前記レーザー光の光源の経時劣化をもの考慮して、前記レーザー光の強度を制御することを特徴とする光記録方法。
【発明の詳細な説明】
【０００１】
【発明の属する技術分野】
この発明は、例えば、ＤＶＤ（Ｄｉｇｉｔａｌ  Ｖｅｒｓａｔｉｌｅ  Ｄｉｓｋ）などの光記録媒体を用いる光記録装置、光記録媒体にデータを記録する場合に用いる光記録方法に関する。
【０００２】
【従来の技術】
読出し専用のＤＶＤ−ＲＯＭと互換性を取ることが可能ないわゆるＲＯＭ互換の記録型ＤＶＤとして、追記型のＤＶＤ−Ｒ（ＤＶＤ−Ｒｅｃｏｒｄａｂｌｅ）や書き換え型のＤＶＤ−ＲＷ（ＤＶＤ  ＲｅＷｒｉｔａｂｌｅ）が提供され、これらの記録再生機が用いられるようになってきている。
【０００３】
そして、ＤＶＤ−ＲやＤＶＤ−ＲＷの利用が可能な記録再生機においては、ＤＶＤ−ＲやＤＶＤ−ＲＷに対し、記録処理に先立って、記録用のレーザー光の強度レベル（パワーレベル）を適正なものに調整するために最適記録校正処理（以下、ＯＰＣ処理という。ＯＰＣは、Ｏｐｔｉｍｕｍ  Ｐｏｗｅｒ  Ｃａｌｉｂｒａｔｉｏｎの略称。）が行われるようにされている。
【０００４】
ＯＰＣ処理について説明すると、ＤＶＤ−ＲやＤＶＤ−ＲＷには、図１３に示すように、ディスクの内周側の読出領域１０１と管理データ領域１０３との間に、ＯＰＣ処理を行うための領域であって、ビーム強度テスト領域あるいはパワーキャリブレーションレーションエリアと呼ばれるテスト領域１０２が設けられている。
【０００５】
このテスト領域１０２に、例えば、図１４Ａに示すようなテスト入力信号を記録するために、図１４Ｂに示す記録パルスに応じたレーザー光を照射して、図１４Ｃに示すように、テスト領域１０２内のトラック上にピットを形成する。この後、ピットを形成したトラック上をレーザー光で走査して、その反射光を受光することにより、記録したテスト信号（記録パルス）を読み出すようにする。
【０００６】
そして、読み出したテスト信号（記録パルス）を分析し、この分析結果に基づいて、図１４Ｂに示したように、記録パルス幅のトップパルス幅Ｔｔｏｐ、マルチパルス幅Ｔｍｐを調整する。マルチパルス幅Ｔｍｐ、トップパルス幅Ｔｔｏｐの要求タイミング精度は、数１０ピコ秒単位である。
【０００７】
次に、上述したように、パルス幅が確定した状態で、いわゆる記録再生特性、オーバーライト特性を評価して、図１４Ｂに示した記録パワーＰｗ、消去パワーＰｃ、バイアスパワーＰｂの各レベルが最適値となるように、レーザー光の光源の駆動電流を調整することによって、適正な強度レベル（出力レベル）のレーザー光でデータを記録できるようにしている。
【０００８】
このような、ＯＰＣ処理は、ＤＶＤ−ＲやＤＶＤ−ＲＷの記録装置への装填時や、記録速度の変更時などに行われることになる。そして、記録データを処理するホスト部と、ホスト部からの記録データの供給を受けて、記録データをＤＶＤに記録するドライブ部とが例えば同一筐体に収められた記録装置の場合であって、ＤＶＤ−ＲやＤＶＤ−ＲＷである記録用ＤＶＤの装填時の場合を例にとると、図１５に示すようにして、記録処理に先って、ＯＰＣ処理が行われる。
【０００９】
すなわち、記録装置に記録用ＤＶＤが装填されると、ホスト部、ドライブ部とも準備処理を開始する（ステップＳ１、ステップＳ１１）。ホスト部は、ステップＳ１において、ドライブ部に対し、必要な情報の取得などを指示するコマンドを供給し、ドライブ部は、装填されたＤＶＤをチャッキングして、スピンドルモータによって回転駆動させ、ホスト部からの要求に応じて、必要な情報を取得するなどの処理を行う。
【００１０】
そして、ホスト部は、ドライブ部に対してドライブパラメータ取得要求を発行し（ステップＳ２）、これに応じてドライブ部は、所定のドライブパラメータを取得して、ホスト部に提供するようにする（ステップＳ１２）。この後、ホスト部は、ドライブ部から必要な情報（ドライブパラメータ）を取得し（ステップＳ３）、そのパラメータをも参照して、必要がある場合には、データ転送レートの変更要求をドライブ部に対して発行する（ステップＳ４）。
【００１１】
このデータ転送レートの変更要求は、ドライブ部に対する記録速度の変更要求であり、ホスト部から所定のデータ転送レートで供給されるデータを洩れなく適正に記録することができるように、ドライブ部におけるスピンドルモータの回転速度やデータの処理速度の変更を指示するものである。
【００１２】
ドライブ部は、ホスト部からのデータ転送レートの変更要求に応じて、ＤＶＤを回転駆動させるスピンドルモータの回転速度やデータの処理速度を変更するようにし（ステップＳ１３）、ホスト部からの書き込みコマンドの提供を待つ。そして、ホスト部は、ドライブ部に対して書き込みコマンドを発行するとともに、記録しようとするデータのドライブ部への供給を開始するようにする（ステップＳ５）。
【００１３】
ドライブ部は、ホスト部からの書き込みコマンドの供給を受けると、まず、上述したＯＰＣ処理を実行して、データの記録に用いるレーザー光の強度レベルを適正なレベルに調整する処理を行い（ステップＳ１４）、この後、ホスト部から供給されるデータをレベル調整した強度レベルのレーザー光でＤＶＤに記録する処理を開始する（ステップＳ１５）。
【００１４】
このように、従来のＤＶＤの記録装置においては、記録用ＤＶＤが装填された場合であって、データを記録するようにした場合に、ＯＰＣ処理を行うことによって、その記録速度に応じた強度レベルの記録用のレーザー光を照射できるように調整して、最適な強度レベルの記録用のレーザー光でデータの記録を行うことができるようにしている。
【００１５】
また、データ転送レートの変更時（記録速度の変更時）、具体的には、例えば、ＤＶＤのドライブ部を４倍速、８倍速などのように高速駆動させてデータを記録するようにされた場合にも、ＯＰＣ処理を行って、記録用のレーザー光の強度レベルの調整が行われる。
【００１６】
しかしながら、記録用ＤＶＤを装填するごとに、あるいは、ユーザからの指示によりドライブ部における記録速度を変更するようにするごとに、上述したＯＰＣ処理をその都度行っていたのでは、ＯＰＣ処理にかかる時間が増え、スムーズかつ迅速な処理ができなくなってしまう場合があると考えられる。
【００１７】
そこで、特許文献１（特開２００２−１７０２４０号公報）には、光ディスクを記録媒体として用いる記録装置、記録方法に関する技術であって、予め複数の記録速度に応じた適正なレーザー光の強度レベルを検出しておいて、記録速度が変更された場合には、その記録速度の場合に対応する、予め検出しておいた強度レベルとなるように、レーザー光の強度レベルを自動的に切り換えるようにする技術が開示されている。
【００１８】
この特許文献１に記載された技術を用いることにより、光ディスクを記録媒体として用いる記録装置において、記録速度の変更時におけるＯＰＣ処理を省略することができ、記録処理をスムーズかつ迅速に行うようにすることができる。また、ＤＶＤ−ＲやＤＶＤ−ＲＷに設けられるビーム強度テスト領域へのテストデータの最大記録回数は、そのエリアの大きさなどから、例えば、７０８８回などと制限されているが、記録速度の変更時においてのＯＰＣ処理を省略することができるので、光ディスクの寿命を延ばすこともできるようにされる。
【００１９】
【特許文献１】
特開２００２−１７０２４０号公報
【００２０】
【発明が解決しようとする課題】
ところで、近年においては、例えば、ＤＶＤ−ＲやＤＶＤ−ＲＷを記録媒体として用いるデジタルビデオカメラ（ＤＶＤデジタルビデオカメラ）が考えられている。このＤＶＤデジタルビデオカメラの場合には、静止画や動画を撮影して、ＤＶＤに記録する場合の他にも、例えば、パーソナルコンピュータと接続して、パーソナルコンピュータのハードディスクに蓄積されている大量のＡＶ（Ａｕｄｉｏ／Ｖｉｓｕａｌ）データなどを高速にＤＶＤデジタルビデオカメラに装填されたＤＶＤに記録するようにすることもできるものである。
【００２１】
そして、静止画や動画の撮影時においては、記録速度をそれほど高くする必要はなく、安定に撮影した静止画像や動画像をＤＶＤに記録するようにすればよい。しかし、パーソナルコンピュータからの大量のデータをＤＶＤに記録する場合には、高速に記録処理を行うようにしたい場合が多い。
【００２２】
また、ＤＶＤ−ＲやＤＶＤ−ＲＷ等の記録用ＤＶＤをＤＶＤ−ＲＯＭ互換にするためには、データはＤＶＤビデオフォーマットで記録するようにし、記録が終了した場合には、ＶＭＧ（Ｖｉｄｅｏ  Ｍａｎｇｅｒ）情報などと呼ばれる所定の管理データを記録用ＤＶＤ上の予約された所定の位置に記録するいわゆるファイナライズ処理を行わなければならない。
【００２３】
このファイナライズ処理は、いわば管理データを追加記録する処理であり、比較的に時間がかかる処理であるために、ユーザにとってはできれば素早く終了させたいものである。そこで、ファイナライズ処理を行う場合には、ＶＭＧ情報を記録する場合の記録速度を自動的に速くすることが考えられる。
【００２４】
したがって、ユーザからの記録速度の変更指示が入力された場合以外にも、記録用ＤＶＤに記録するデータの供給経路の違いによって、あるいは、記録するデータに応じて、記録速度を記録装置において自動的に変更できるようにしたい場合が生じる。しかしながら、記録装置が記録速度を自動的に変更するようにした場合であっても、その後のデータの記録を適正に行うようにするためには、ＯＰＣ処理が必要になる。
【００２５】
しかし、このような場合にまで、ＯＰＣ処理を必ず行うようにしていたのでは、ＯＰＣ処理分の時間がかかってしまうし、また、上述もした記録用ＤＶＤのビーム強度テスト領域の制限などから、ＯＰＣ処理の実行可能回数は制限されているので、ＤＶＤの寿命を短くすることになってしまう。
【００２６】
また、記録用ＤＶＤの場合、記録容量も大きく、解像度や大きさにもよるが、静止画像であれば、１枚の記録用ＤＶＤに数万枚を記録することができるし、動画像であっても、映画１本分くらいを記録することは容易である。したがって、記録用ＤＶＤは、記憶容量が大きいために、繰り返し記録に使用され、ＯＰＣ処理が頻繁に行われることによって、記録用ＤＶＤの寿命を短くすることがないようにしたい。
【００２７】
以上のことにかんがみ、この発明は、データの記録速度が自動的に変更される場合であっても、ＯＰＣ処理を行うことなく、レーザー光のパワーを適正なレベルとなるようにすることができるとともに、光記録媒体の寿命を短くすることのない装置、方法に関する。
【００２８】
【課題を解決するための手段】
上記課題を解決するため、請求項１に記載の発明の光記録装置は、
光記録媒体にレーザー光を照射することにより、当該光記録媒体にデータを記録するようにする光記録手段と、
前記光記録手段から照射される前記レーザー光の強度を、記録速度に応じて適したものとするための情報を記憶保持する記憶手段と、
記録するデータに応じて、あるいは、記録するデータの供給経路に応じて、データの記録速度を自動的に変更するようにする変更手段と、
前記変更手段により記録速度が変更される場合に、変更後の記録速度と、前記記憶手段に保持されている情報とに基づいて、前記光記録手段から照射する前記レーザー光の強度を制御する制御手段と
を備えることを特徴とする。
【００２９】
この請求項１に記載の光記録装置によれば、記録するデータに応じて、あるいは、記録するデータの供給経路に応じて、データの記録速度が、変更手段によって自動的に変更するようにされる。この場合に、変更後の記録速度と、記憶手段に記憶されている情報（記録速度に応じてレーザー光の強度を適したものとするための情報）に基づいて、制御手段により光記録手段からのレーザー光の強度レベルが制御される。
【００３０】
これにより、記録するデータや記録するデータの供給経路に応じて、データの記録速度を自動変更するようにしても、ＯＰＣ処理を行わなくても、最適な強度レベルのレーザー光によって、目的とするデータを光記録媒体に適正に記録することができるようにされる。また、ＯＰＣ処理を行わないので、ＯＰＣ処理回数が制限されている光記録媒体の寿命を短くしないようにすることができるようにされる。
【００３１】
【発明の実施の形態】
以下、図を参照しながら、この発明による装置、方法の一実施の形態について説明する。以下に説明する実施の形態においては、記録媒体としてＤＶＤを用いるデジタルビデオカメラ（ＤＶＤデジタルビデオカメラ）に、この発明による装置、方法を適用した場合を例にして説明する。
【００３２】
図１は、この実施の形態のＤＶＤデジタルビデオカメラを説明するためのブロック図である。図１に示すように、この実施の形態のＤＶＤデジタルビデオカメラは、情報処理部１とＤＶＤドライブ２とが同一筐体中に設けられて構成されたものである。以下においては、情報処理部１と、ＤＶＤドライブ２とに分けて、その構成と動作について説明する。
【００３３】
［情報処理部（ホスト装置部）１について］
まず、ホスト装置部としての機能を有する情報処理部１について説明する。図１に示すように、情報処理部１は、カメラ部１１、カラーＬＣＤ（Ｌｉｑｕｉｄ  Ｃｒｙｓｔａｌ  Ｄｉｓｐｌａｙ）１２、ビデオ／オーディオインターフェース部（以下、ビデオ／オーディオＩ／Ｆ部という。）１３、圧縮／伸張信号処理部１４、データ制御部１５、ドライブ制御部１６、外部機器インターフェース部（以下、外部機器Ｉ／Ｆという。）１７、システム制御部１８、プログラムメモリー１９、ユーザインターフェース部（以下、ユーザＩ／Ｆ部という。）２０を備えたものである。
【００３４】
ビデオ／オーディオＩ／Ｆ部１３、圧縮／伸張信号処理部１４、データ制御部１５のそれぞれには、図１に示すように、主に作業領域として用いられる、スクリーンメモリー１３Ｍ、圧縮／伸張メモリー１４Ｍ、データメモリー１５Ｍが設けられている。
【００３５】
そして、この実施の形態のＤＶＤデジタルビデオカメラの情報処理部１において、システム制御部１８は、この実施の形態のＤＶＤデジタルビデオカメラの各部を制御するものであり、図示しないが、ＣＰＵ（Ｃｅｎｔｒａｌ  Ｐｒｏｃｅｓｓｉｎｇ  Ｕｎｉｔ）や作業領域として用いられるＲＡＭ（Ｒａｎｄｏｍ  Ａｃｃｅｓｓ  Ｍｅｍｏｒｙ）、設定パラメータやその他電源が落とされても保持しておくべき種々のデータを記憶保持するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）やフラッシュメモリーなどの不揮発性メモリーを備えたものである。
【００３６】
システム制御部１８には、図１に示したように、プログラムメモリー１９、ユーザＩ／Ｆ２０が接続されている。プログラムメモリー１９は、システム制御部１８において実行される種々のプログラムや処理に必要なデータが記録されたものである。また、ファイル管理を行うためのファイルシステムもプログラムメモリー１９に用意されている。
【００３７】
すなわち、プログラムメモリー１９には、ＤＶＤビデオフォーマットのＵＤＦブリッジファイルシステム、ＤＶＤビデオレコーディングフォーマットのＵＤＦファイルシステムなどが搭載されている。
【００３８】
また、ユーザＩ／Ｆ２０は、複数のファンクションキーやボタンスイッチ、スライドキーなどからなり、撮影開始や撮影終了、再生開始や再生終了などのユーザからの種々の指示入力を受け付けて、これをシステム制御部１８に通知することができるものである。これにより、システム制御部１８は、ユーザからの指示入力に応じて各部を制御することにより、ユーザの指示に応じた処理を行うことができるようにされる。
【００３９】
そして、この実施の形態のＤＶＤデジタルビデオカメラにおいては、図１に示したように、カメラ部１１と、カラーＬＣＤ１２とがビデオ／オーディオＩ／Ｆ部１３に接続するようにされている。
【００４０】
カメラ部１１は、レンズ、ＣＣＤ（Ｃｈａｒｇｅ  Ｃｏｕｐｌｅｄ  Ｄｅｖｉｃｅ）等を備え、レンズを通ってきた被写体の画像をＣＣＤによってアナログ映像信号に変換し、これを後段の回路部に供給する。また、カメラ部１１の近傍には、図示しないがマイクロホンが設けられており、撮影時に音声を収音し、収音した音声を電気信号に変換して取り込むこともできるようにされている。
【００４１】
カラーＬＣＤ１２は、カメラ部１１が捉えている画像やＤＶＤドライブ２に装填されたＤＶＤから読み出された映像データによる再生画像をカラー表示するようにするものである。また、例えば、カラーＬＣＤ１２の近傍には、図示しないがスピーカが設けられ、マイクロホンで収音された音声や、ＤＶＤドライブ２に装填されたＤＶＤから読み出された音声データによる再生音声が放音するようにされている。
【００４２】
ビデオ／オーディオＩ／Ｆ部１３は、カメラ部１１からのアナログ映像信号やマイクロホンからのアナログ音声信号を受け付けて、これらを自機において処理可能な形式のデジタル信号に変換し、これら変換後の映像データ、音声データを後段の圧縮／伸張信号処理部１４に供給する。このように、ビデオ／オーディオＩ／Ｆ部１３は、カメラ部１１などからの映像や音声を自機に取り込む機能を有している。
【００４３】
また、ビデオ／オーディオＩ／Ｆ部１３は、圧縮／伸張信号処理部１４からの伸張処理された映像データ、音声データをアナログ信号に変換し、アナログ映像信号をカラーＬＣＤ１２に供給するとともに、アナログ音声信号をスピーカに供給する。このように、ビデオ／オーディオＩ／Ｆ部１３は、映像や音声を自機から出力する機能を有している。
【００４４】
圧縮／伸張信号処理部１４は、ビデオ／オーディオＩ／Ｆ１３からの映像データ、音声データを所定の方式でデータ圧縮して、データ圧縮後の映像データ、音声データを後段のデータ制御部１５に供給したり、また、データ制御部１５からのデータ圧縮されている映像データ、データ圧縮されている音声データを伸張して、データ伸張後の映像データ、音声データをビデオ／オーディオＩ／Ｆ部１３に供給したりする。
【００４５】
なお、圧縮／伸張信号処理部１４において用いられるデータ圧縮方式は、静止画の場合はＪＰＥＧ（Ｊｏｉｎｔ  Ｐｈｏｔｏｇｒａｐｈｉｃ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）とその機能が発展した将来の代替えとなる方式、動画の場合はＭＰＥＧ２とその機能が発展した将来の代替えとなる方式などである。例えば、静止画圧縮方式の場合は標準化協議会のＣＩＰＡで検討中のＪＰＥＧ２０００方式、高画質動画の場合はＭＰＥＧ４−ＡＶＣと呼ばれるＨＤ対応高圧縮レートで注目される圧縮方式がある。もちろん、これらの方式に限ることなく、種々の方式を用いることも可能である。
【００４６】
データ制御部１５は、ＳＤＲＡＭ（Ｓｙｎｃｈｒｏｎｏｕｓ  Ｄｙｎａｍｉｃ  ＲＡＭ）などにより構成されるデータメモリー１５Ｍをバッファメモリーとして用い、非同期であるＤＶＤデジタルビデオカメラと、このＤＶＤデジタルビデオカメラに装填されたＤＶＤとの間における映像データ、音声データについての時間軸補正を行うようにしている。
【００４７】
したがって、カメラ部１１を通じて得た映像データや音声データをＤＶＤドライブ２に装填されたＤＶＤに記録する場合には、圧縮／伸張信号処理部１４からのデータが、データ制御部１５を通じてデータメモリー１５Ｍに記録されるとともに、データメモリー１５Ｍに先に記録されているデータがデータ制御部１５により読み出されてドライブ制御部１６に供給され、後述するように、ＤＶＤドライブ２に装填されたＤＶＤに記録されることになる。
【００４８】
また、ドライブ制御部１６を通じて供給されるＤＶＤドライブ２に装填されたＤＶＤから読み出された映像データ、音声データは、データ制御部１５を通じてデータメモリー１５Ｍに記録されるとともに、データメモリー１５Ｍに先に記録されているデータがデータ制御部１５により読み出されて圧縮／伸張信号処理部１４に供給され、上述もしたように、データ伸張、デジタル／アナログ変換されて、出力するようにされる。
【００４９】
このように、データメモリー１５Ｍは、いわゆるファースト−イン・ファースト−アウト（Ｆｉｒｓｔ  Ｉｎ  Ｆｉｒｓｔ  Ｏｕｔ）形式で使用され、例えばカメラ部１１から供給される時間的に連続する映像データや音声データを途切れることなく、ＤＶＤドライブ２に装填されたＤＶＤに記録したり、また、ＤＶＤドライブ２に装填されているＤＶＤに記録されている時間的に連続する映像データや音声データを途切れることなく再生したりすることができるようにしている。
【００５０】
そして、ドライブ制御部１６は、ＤＶＤドライブ２との接続インターフェースであり、この実施の形態においては、例えば、光ディスクドライブ用コマンド標準であるいわゆるＭｔ．Ｆｕｊｉマルチメディアコマンドセットを実装するＡＴＡＰＩインターフェースである。
【００５１】
なお、Ｍｔ．Ｆｕｊｉマルチメディアコマンドセットの正式名称は、ＳＦＦ８０９０ｉ  ｖ５  Ｓｍａｌｌ  Ｆｏｒｍ  Ｆａｃｔｏｒ  Ｃｏｍｉｔｔｅｅ  Ｓｐｅｃｉｆｉｃａｔｉｏｎ  ｏｆ：Ｍｔ．Ｆｕｊｉ  Ｃｏｍｍａｎｄｓ  ｆｏｒＭｕｔｉｍｅｄｉａ  Ｄｅｖｉｃｅｓである。
【００５２】
もちろん、インターフェースは、これに限るものではなく、シリアル形式への発展型インターフェース、無線通信型インターフェースなどの、光ディスク用のパケットコマンドを使用することができる種々のインターフェースやその他のインターフェースを用いるようにすることができる。
【００５３】
そして、上述もしたように、データ制御部１５からのデータは、ドライブ制御部１６を通じて、ＤＶＤドライブ２に供給されて、ＤＶＤドライブ２に装填されたＤＶＤに記録されることになる。また、ＤＶＤドライブ２に装填されたＤＶＤから読み出されたデータは、ドライブ制御部１６を通じてデータ制御部１５に供給され、上述したように、データ制御部１５、圧縮／伸張信号処理部１４、ビデオ／オーディオＩ／Ｆ部を通じて再生するようにされる。
【００５４】
また、この実施の形態のＤＶＤデジタルビデオカメラは、外部機器Ｉ／Ｆ部１７を備えている、この外部機器Ｉ／Ｆ部は、例えば、パーソナルコンピュータなどの外部機器との接続を可能にするものであり、例えば、ＵＳＢ（Ｕｎｉｖｅｒｓａｌ  Ｓｅｒｉａｌ  Ｂｕｓ）回路である。この外部機器Ｉ／Ｆ部１７を用いる場合には、データ制御部１５とドライブ制御部１６、あるいは、ドライブ制御部１６を通じてデータのやり取りを行うことができるようにされる。
【００５５】
［ＤＶＤドライブ２について］
次に、ＤＶＤドライブ２について説明する。図２は、この実施の形態のＤＶＤデジタルビデオカメラに搭載されたＤＶＤドライブ２を説明するためのブロック図である。図２に示すように、ＤＶＤドライブ２は、ファームウエア制御部２１、ホストインターフェース部（以下、ホストＩ／Ｆ部という。）２２、パケットデバイス情報部２３、メモリー制御部２４、ドライブキャッシュメモリー２５、書き込み／読み出し部２６、光ヘッド部（ＯＰＤ：Ｏｐｔｉｃａｌ  Ｐｉｃｋｕｐ  Ｄｅｖｉｃｅ）２７、ディスク検出部２８、メモリー２９を備えやものである。また、図２において、ＤＶＤ３０は、ＤＶＤドライブ２に装填された光記録媒体（ＤＶＤ）を示している。
【００５６】
図２において、ホストＩ／Ｆ部２２は、ホスト装置部である情報処理部１のドライブ制御部１６とＡＴＡＰＩインターフェースで接続され、情報処理部１との間で、データの送受を行うようにするものである。パケットデバイス情報部２３は、ホストＩ／Ｆ部２２を通じて、情報処理部１との間で、上述したＭｔ．Ｆｕｊｉコマンドセットに対応するコマンド等のデータのパケット転送を非同期ハンドシェークで行うようにするものである。
【００５７】
そして、情報処理部１からのデータをＤＶＤ３０に記録する場合には、情報処理部１からのデータは、ホストＩ／Ｆ部２２を通じてメモリー制御部２４に供給される。メモリー制御部２４は、ドライブキャッシュメモリー２５をバッファメモリーとして用いて、データが途切れることがないようにして、書き込み／読み出し部２６に供給する。
【００５８】
書き込み／読み出し部２６は、データの記録時においては、ＣＲＣ（Ｃｙｃｌｉｃ  Ｒｅｄｕｎｄａｎｃｙ  Ｃｈｅｃｋ）エラー訂正符号の付加、変調処理を行って記録用信号を形成して、形成した記録用信号を光ヘッド部２７に供給する。光ヘッド部２７は、レーザー光源、対物レンズ、ビームスプリッタ、受光素子などを備え、書き込み／読み出し部２６からの記録用信号に応じた記録用のレーザー光を、装填されたＤＶＤ３０に照射することにより、ＤＶＤ３０に記録用信号を記録する。
【００５９】
また、データの再生時においては、光ヘッド部２７は、ＤＶＤ３０に読み出し用のレーザー光を照射し、その反射光を受光して電気信号に変換し、これが書き込み読み出し部２６に供給される。この場合、書き込み／読み出し部２６は、光ヘッド部２７からの電気信号について、復調処理、ＣＲＣエラー訂正符号のデコード処理とエラー訂正などを行い、復調後のデータをメモリー制御部２４を通じてホストＩ／Ｆ部２２に供給する。そして、復調されたデータは、ホストＩ／Ｆ部２２を通じて情報処理部１に供給される。
【００６０】
また、ＤＶＤドライバ２には、ＤＶＤが装填されたときに、光ヘッド部２７から照射したレーザー光の反射光を電気信号に変換して得られた信号の供給を受けて、装填されたＤＶＤの識別情報を読み取ることによって、ディスク種類などの情報を読み取るようにするディスク検出部２８が設けられている。
【００６１】
また、ディスク検出部２８からの検出結果の供給を受けて、ＤＶＤの種類などを判別するファームウエア制御部２１がある。ファームウエア制御部２１においての判別結果は、ホストＩ／Ｆ部２２を通じてホスト装置部である情報処理部１にハンドシェークプロトコルで通知される。また、ファームウエア制御部２１は、ＤＶＤドライブの各部を制御するシステムコントローラとしての機能をも有している。
【００６２】
そして、図１、図２を用いて上述したＤＶＤデジタルビデオカメラの場合には、カメラ部１１と、外部機器Ｉ／Ｆ１７との２つのデータの入力端を備えたものであり、カメラ部１１からのデータを記録対象とするか、外部機器Ｉ／Ｆからのデータを記録対象とするかは、ユーザによって切り換えることができるようにしている。具体的には、ユーザＩ／Ｆ部２０の所定のキーを操作することにより、ＡＶモード（カメラモード）とされたときには、カメラ部１１からのデータが記録対象となり、ＰＣモード（外部記録モード）のときには、外部機器Ｉ／Ｆ１７からのデータが記録対象となる。
【００６３】
そして、カメラ部１１を通じて撮影した画像や音声をＤＶＤに記録する場合には、撮影することにより得た画像データや音声データを安定にＤＶＤに記録するために、データ転送レートとしては、比較的に低速な所定の標準データ転送レートでデータの転送を行うことにより、標準記録速度（１倍速）でデータの記録を行う。しかし、外部機器Ｉ／Ｆを通じてパーソナルコンピュータなどの外部機器から高データ転送レートで供給されるデータについては、データ転送レートに応じて、例えば、４倍速や８倍速などの高速な記録速度でＤＶＤに記録する。
【００６４】
すなわち、この実施の形態のＤＶＤデジタルビデオカメラは、データ転送レートを変更することにより、ＤＶＤドライブ２における記録速度の変更が可能なものである。そして、上述のように、ＤＶＤに記録しようとするデータが、カメラ部１１からのものか、外部機器Ｉ／Ｆ１７からのものかに応じて、データ転送レートを自動的に変更することにより記録速度の変更ができるとともに、ユーザからの指示に応じても、データ転送レートを変更して記録速度の変更ができるようにしている。
【００６５】
そして、この実施の形態のＤＶＤデジタルビデオカメラにおいては、上述したように、データ転送レートが変更されることにより、ＤＶＤドライブ２における記録速度が変更された場合に、一々ＯＰＣ（Ｏｐｔｉｍｕｍ  Ｐｏｗｅｒ  Ｃａｌｉｂｒａｔｉｏｎ）処理は行わない。図１にも示したように、ファームウエア制御部２１には、メモリー２９が接続されている。このメモリー２９には、各記録速度において、最適な強度レベルの記録用のレーザー光を照射するようにレーザー光源を制御するための情報が予め記録されている。
【００６６】
具体的には、この実施の形態のＤＶＤデジタルビデオカメラのＤＶＤドライブ２において変更可能な複数の記録速度のそれぞれごとに予め計測されて求められた情報であって、各記録速度においての最適な強度レベルの記録用のレーザー光を照射するために、レーザー光源に供給する駆動電流の大きさ（駆動電流値）を示す情報が、例えば図６に示すように、各記録速度毎にメモリー２９に記録されている。
【００６７】
ファームウエア制御部２１は、変更後の記録速度と、メモリー２９に予め記憶されている複数の記録速度のそれぞれごとの駆動電流値とに基づいて、光ヘッド部２７に供給する駆動電流を制御することによって、ＤＶＤに照射されるレーザー光の強度レベルが記録速度に応じて最適なレベルとなるようにしている。
【００６８】
なお、この明細書においては、上述のように、データ転送レートとＤＶＤドライブ２におけるデータの記録速度とは１対１に対応するものであり、記録対象のデータの情報処理部１からＤＶＤドライブ２へのデータ転送レートの変更は、ＤＶＤドライブ２におけるＤＶＤの回転速度をも含み、装填されたＤＶＤへのデータの記録速度の変更を意味するものである。
【００６９】
このように、この実施の形態のＤＶＤデジタルビデオカメラにおいては、記録しようとしているデータの供給経路に応じて、データ転送レートが自動的に変更するようにされ、これに応じてＤＶＤドライブ２におけるデータの記録速度が変更されるとともに、光ヘッド部２７から照射するレーザー光の強度レベルについても、その記録速度において最も適したレベルとなるように制御することができるようにしている。
【００７０】
また、この実施の形態のＤＶＤデジタルビデオカメラにおいては、ＤＶＤ−Ｒ、ＤＶＤ−ＲＷを用いることができるものであり、これらＤＶＤ−ＲやＤＶＤ−ＲＷに対して、ＤＶＤビデオフォーマットでユーザの目的とするデータを記録し、そのデータの記録終了後、ユーザからの指示により、あるいは、当該ＤＶＤデジタルビデオカメラからＤＶＤが取り出されるようにされた場合に、いわゆるファイナライズ処理が行われる。このファイナライズ処理時においては、ＶＭＧデータ等の管理データを高速に記録するようにしている。
【００７１】
このファイナライズ処理時においても、この実施の形態のＤＶＤデジタルビデオカメラにおいては、記録速度と、メモリー２９に用意されているデータとに基づいて、光ヘッド部２７からＤＶＤに照射するレーザー光の強度レベルを、その高速な記録速度でデータをＤＶＤに記録する場合において最も適したレベルとなるように制御するようにしている。
【００７２】
また、一般に、レーザー光を出力するレーザー光源は、同じ大きさの駆動電流で駆動するようにしても、使用時間が累積されるにしたがって、照射されるレーザー光の強度レベルが低下する。すなわち、レーザー光源は経時劣化特性を有している。しかし、レーザー光源の経時劣化特性は、例えば、指数関数として、比較的に正確に把握することが可能である。
【００７３】
そこで、この実施の形態のＤＶＤデジタルビデオカメラにおいては、光ヘッド部２７で用いられているレーザー光源の経時劣化特性をも考慮して、レーザー光の強度レベルを制御することができるようにしている。このため、メモリー２９には、経時劣化特性を考慮して駆動電流を補正するための情報が予め記憶されているとともに、レーザー光源の累積使用時間も更新するようにされている。
【００７４】
［ＤＶＤビデオフォーマットのファイナライズ処理について］
次に、上述もしたように、ＤＶＤビデオフォーマットでデータを記録するようにした場合に必要となるファイナライズ処理について詳細に説明する。図３は、ＤＶＤ−ＲあるいはＤＶＤ−ＲＷに対して、ＤＶＤビデオフォーマットで画像データや音声データなどを記録するようにした場合のフォーマットを説明するための図である。図３において、図３Ａがファイナライズ処理前の状態を、また、図３Ｂがファイナライズ処理後の状態を示している。
【００７５】
図３Ａに示すように、内周側から外周側に向かって順に、読出領域２０１、ビーム強度テスト領域２０２、管理データ領域２０３、リードインエリア２０４、予約領域２０５、そして、画像データや音声データが記録されることになるデータ領域２０６、リードアウト領域２０７が設けられる。
【００７６】
ここで、予約領域２０５が、ＤＶＤ−ＲやＤＶＤ−ＲＷにＤＶＤビデオフォーマットでデータを記録する場合に、ファイナライズ処理により、ボリューム情報、ファイルシステム情報、ＶＭＧ情報を記録するために予め確保するようにされる未記録状態の領域である。
【００７７】
そして、情報の記録時には、データ領域２０６に、タイトル毎に、画像データや音声データのまとまりであるＶＴＳ＃１、ＶＴＳ＃２、…が記録されるとともに、管理データ量域２０３、リードインエリア２０４、リードアウトエリア２０７に必要な情報が記録するようにされる。
【００７８】
つまり、ＶＴＳ（Ｖｉｄｅｏ  Ｔｉｔｌｅ  Ｓｅｔ）＃１、ＶＴＳ＃２はそれぞれ、異なるタイトル（例えば番組のデータ）であり、図３Ａに示したように、ＶＴＳ＃１は、第１ＶＴＳＩ（Ｖｉｄｅｏ  Ｔｉｔｌｅ  Ｓｅｔ  Ｉｎｆｏｒｍａｔｉｏｎ）、第１ＶＯＢＳ（Ｖｉｄｅｏ  Ｏｂｊｅｃｔ  Ｓｅｔ）、Ｂｕｐ（Ｂａｃｋｕｐ）第１ＶＴＳＩからなり、ＶＴＳ＃２は、第２ＶＴＳＩ、第２ＶＯＢＳ、Ｂｕｐ第２ＶＴＳＩからなっている。
【００７９】
そして、データの記録が終了し、例えば、ユーザからの指示により、あるいは、当該ＤＶＤデジタルビデオカメラからＤＶＤ−ＲあるいはＤＶＤ−ＲＷが取り出されるようにされた場合に、ファイナライズ処理が行われて、必要な情報が生成され、これが予約領域２０５に記録される。
【００８０】
具体的には、図３Ａ、Ｂに示すように、データ領域２０６に記録されたデータであるＶＴＳ＃１、ＶＴＳ＃２、…に基づいて、予約領域２０５に記録される情報である、ボリューム情報、ファイルシステム情報、ＶＭＧＩ（Ｖｉｄｅｏ  Ｍａｎａｇｅｒ  Ｉｎｆｏｒｍａｔｉｏｎ）、メニューＶＯＢＳ（Ｖｉｄｅｏ  Ｏｂｊｅｃｔ  Ｓｅｔ）、バックアップＶＭＧＩがＤＶＤドライブ２のファームウエア制御部２１において形成され、これらの情報が光ヘッド部２７から照射されるレーザー光によって、ＤＶＤ−ＲあるいはＤＶＤ−ＲＷの予約領域２０５に記録される。
【００８１】
このファイナライズ処理を行うことにより、ＤＶＤ−ＲＯＭの場合と同様に、ボリューム情報と、ファイルシステム情報と、ＶＭＧＩ、メニューＶＯＢＳ、バックアップＶＭＧＩからなるＶＭＧ情報とがリードインエリア２０４とデータ領域２０６との間の領域に記録され、ＤＶＤ−ＲＯＭ互換ディスクとして、記録に用いた機器とは別の例えばＤＶＤ−ＲＯＭドライブなどで再生することができるようにされる。
【００８２】
なお、例えば、ＤＶＤ−ＲにＤＶＤビデオフォーマットで情報を記録する場合に、ファイナライズ処理を短時間に正確に行うようにするなどのために、情報の記録時において、記録情報に基づき、ＶＭＧ情報などのファイナライズ処理において作成する情報を迅速に作成できるようにするための情報であるＴｅｍｐＶＭＧＩ（仮ＶＭＧＩ）を形成し、これをデータ領域に記録しておくようにすることも考えられる。このように、ＴｅｍｐＶＭＧＩを用いるようにした場合にも、ディスクの種別などの判別は上述したように行うことが可能である。
【００８３】
そして、予約領域２０５に生成した情報を記録する場合には、上述もしたように、記録速度を、例えば、８倍速、１６倍速などに変更することによって、ファイナライズ処理を迅速に行うようにしている。そして、このファイナライズ処理の場合の記録速度の変更時において、上述もしたように、ＤＶＤドライブ２のファームウエア制御部２１は、変更後の記録速度と、メモリー２９に記憶されている情報とに基づくとともに、さらに経時劣化特性をも考慮して、記録用のレーザー光の強度レベルが最適なものとなるようにしている。
【００８４】
［レーザー光源の経時劣化特性について］
次に、上述した、光ヘッド部２７のレーザー光源の持つ経時劣化特性について説明する。図４は、光ヘッド部２７のレーザー光源の経時変化特性を説明するための図である。図４において、曲線Ｂｄが、レーザー光源に同じ駆動電流を供給し続けた場合に、レーザー光源から出力されるレーザー光の強度レベルの変化を示している。
【００８５】
レーザー光源の寿命は、その構成や使用材料などによって異なるが、例えば、数千時間から１万時間程度であり、その間においては、一定の駆動電流を供給するようにしていても、使用時間が累積していくと性能が徐々に劣化し、レーザー光の強度レベルも徐々に低下していく。
【００８６】
例えば、図４において、時点ｔ１における当該レーザー光源から照射されるレーザー光の強度レベルに比べると、時点ｔ１よりも例えば数十時間程度後の時点ｔ２における当該レーザー光源から照射されるレーザー光の強度レベルは低くなる。したがって、同じ記録速度の場合であっても、時点ｔ１と時点ｔ２とでは、最適な強度レベルのレーザー光を照射するために、レーザー光源に供給する駆動電流は異なったものとなる。
【００８７】
すなわち、曲線Ｂｄ上の時点ｔ１におけるレーザー光の強度レベルを、図４において、レベルＬ１が示す記録速度が標準速の時の強度レベルにする場合には、その補正量は、矢印ｈ１が示す大きさとなり、また、曲線Ｂｄ上の時点ｔ２におけるレーザー光の強度レベルを、図４において、レベルＬ１が示す記録速度が標準速の時の強度レベルにする場合には、その補正量は、矢印ｈ１１が示す大きさとなる。
【００８８】
同様に、曲線Ｂｄ上の時点ｔ１におけるレーザー光の強度レベルを、図４において、レベルＬ２が示す記録速度が標準速の時の強度レベルにする場合には、その補正量は、矢印ｈ２が示す大きさとなり、また、曲線Ｂｄ上の時点ｔ２におけるレーザー光の強度レベルを、図４において、レベルＬ２が示す記録速度が標準速の時の強度レベルにする場合には、その補正量は、矢印ｈ２１が示す大きさとなる。
【００８９】
このように、レーザー光源の累積使用時間に応じて、レーザー光源の特性は劣化する。しかし、このようなレーザー光源の経時劣化は、例えば指数関数として比較的に正確に把握することができる。そこで、この実施の形態のＤＶＤデジタルビデオカメラにおいては、レーザー光源に供給する駆動電流の累積使用時間ごとの補正係数を、当該レーザー光源の経時劣化特性に基づいて算出し、この算出した補正係数を、ＤＶＤドライブ２のメモリー２９に、例えば、図６に示すようにして記憶させておく。
【００９０】
そして、この実施の形態のＤＶＤデジタルカメラのファームウエア制御部２１は、データの記録時において、レーザー光源の経時劣化をも考慮し、すなわち、図７に示したようにメモリー２９に用意される、レーザー光源の累積使用時間に応じた補正係数をも考慮して、レーザー光源に供給する駆動電流を制御する。
【００９１】
図５は、レーザー光源の累積使用時間とレーザー光源に供給する駆動電流の変化とを説明するための図である。図５において、曲線ＰＷ１は、記録速度が標準速（１倍速）の場合のレーザー光源に供給する駆動電流の変化を示し、曲線ＰＷ２は、記録速度が４倍速の場合のレーザー光源に供給する駆動電流の変化を示している。
【００９２】
そして、図５において、時点ｔ１における標準速の時の駆動電流Ｐ１と、時点ｔ１における４倍速の時の駆動電流Ｐ２とを比較すると分かるように、記録速度が速い方が、大きな駆動電流が必要になる。このことは、時点ｔ２においても同じである。
【００９３】
さらに、時点ｔ１における標準速の時の駆動電流Ｐ１と時点ｔ２における標準速の時の駆動電流Ｐ１１、あるいは、時点ｔ１における４倍速の時の駆動電流Ｐ２と時点ｔ２における４倍速の時の駆動電流Ｐ２１とを比較すると分かるように、レーザー光源の累積使用時間が長くなるにつれて、同じ記録速度の場合であっても、レーザー光源に供給する駆動電流は大きくなる。
【００９４】
このように、この実施の形態のＤＶＤデジタルビデオカメラにおいては、記録速度とともに、光ヘッド部２７のレーザー光源の経時劣化をも考慮して、レーザー光の強度レベルを制御するようにしている。
【００９５】
［記録速度の変更制御について］
上述したように、この実施の形態のＤＶＤデジタルビデオカメラにおいては、カメラ部１１を通じて供給される画像データや音声データをＤＶＤに記録するときには、標準速（１倍速）で記録するようにし、外部機器Ｉ／Ｆ部１７を通じて外部機器から高データ転送速度で供給されるデータをＤＶＤに記録するときには、２倍速、４倍速、あるいは、それ以上の記録速度で記録するようにする。また、ファイナライズ処理を行うときにも、ＶＭＧデータ等の情報を予約領域に記録する場合には、２倍速、４倍速、あるいは、それ以上の記録速度で記録するようにする。
【００９６】
そして、少なくとも、上述のようにこの実施の形態のＤＶＤビデオカメラ自身が、使用者からの指示ではなく記録速度を変更する場合には、ＯＰＣ処理を行うことなく、記録速度と、ＤＶＤドライブ部２のメモリー２９に予め記憶されている所定の記録速度毎のレーザー光源に供給する駆動電流値、および、累積使用時間に応じた駆動電流の補正係数とに基づいて、レーザー光源に供給する駆動電流を制御し、レーザー光の強度レベルを記録速度に応じて最適なものとなるようにしている。
【００９７】
このように、このＤＶＤデジタルビデオカメラにおいて、記録速度を変更する場合、すなわち、ＡＶモード（カメラモード）／ＰＣモード（外部記録モード）の切り換えにより、データの供給経路が切り換えられた場合やファイナライズ処理を行うようにする場合には、情報処理部１のドライブ制御部１６がシステム制御部１８の制御により、記録速度を変更するためのデータ転送レートの変更をＤＶＤドライブ部２に指示する。
【００９８】
この実施の形態のＤＶＤデジタルビデオカメラの場合には、上述もしたように、情報処理部１とＤＶＤドライブ２とは、Ｍｔ．Ｆｕｊｉマルチメディアコマンドセットを実装するＡＴＡＰＩインターフェースで接続するようにされているので、Ｍｔ．Ｆｕｊｉマルチメディアコマンドセットで規定されているセット・ストリーミング・コマンド（ＳＥＴ  ＳＴＲＥＡＭＩＮＧ  Ｃｏｍｍａｎｄ）、パフォーマンス・ディスクリプタ（Ｐｅｒｆｏｒｍａｎｃｅ  Ｄｅｓｃｒｉｐｔｏｒ）を用い、情報処理部１はＤＶＤドライブ２に対して各種の指示を出したり、またＤＶＤドライブ２から情報の提供を受けたりする。
【００９９】
図８は、この実施の形態のＤＶＤデジタルビデオカメラで用いる上述のセット・ストリーム・コマンドを説明するための図であり、図９は、この実施の形態のＤＶＤデジタルビデオカメラで用いる上述のパフォーマンス・ディスクリプタを説明するための図である。
【０１００】
上述もしたように、情報処理部１がＤＶＤドライブ２に対してデータ転送レートの変更を指示する場合には、図８に示すセット・ストリーミング・コマンドと、図９に示すパフォーマンス・ディスクリプタが用いられる。
【０１０１】
セット・ストリーミング・コマンドは、図８に示すように、１２バイトのデータ列からなり、０バイト目のオペレーションコードをＢ６ｈ（文字ｈは、その直前のＢ６が、１６進数（Ｈｅｘａｄｅｃｉｍａｌ  Ｎｕｍｂｅｒｓ）であることを示す。）とすることによって、当該コマンドがセット・ストリーミング・コマンドであることを示している。
【０１０２】
このセット・ストリーミング・コマンドは、情報処理部１からＤＶＤドライブ２に対して、次に提供するデータについての情報を提供するものであり、セット・ストリーミング・コマンドの９バイト目から１０バイト目の１６ビットのデータ列によって、次に提供するデータであるパフォーマンス・ディスクリプタのデータ転送長が通知するようにされる。
【０１０３】
セット・ストリーミング・コマンドに続き、情報処理部１からＤＶＤドライブ２に供給されるパフォーマンス・ディスクリプタは、情報処理部１からＤＶＤドライブ２に種々の設定情報を提供するものであり、図９に示すように、２８バイトのデータ列からなるものである。
【０１０４】
この図９に示したパフォーマンス・ディスクリプタにおいて、情報処理部１がＤＶＤドライブ２に対して、装填されたＤＶＤの回転数を標準回転数の整数倍として設定できるようにするためには、パフォーマンス・ディスクリプタの０バイト目のＬＳＢ（Ｌｅａｓｔ  Ｓｉｇｎｉｆｉｃａｎｔ  Ｂｉｔ）に設けられ、データの読出し速度／書き込み速度の変更の有無を示すＭＲＷ（Ｍｉｘｅｄ  Ｒｅａｄ／Ｗｒｉｔｅ）を「１」に設定する。ＭＲＷが「０」の場合には、ＤＶＤは標準回転数モードのままで回転すると定義されている。
【０１０５】
パフォーマンス・ディスクリプタにおいて、４バイト目から７バイト目は、メディアの開始ＬＢＡ（Ｌｏｇｉｃａｌ  Ｂｌｏｃｋ  Ａｄｄｒｅｓｓ）を示す情報が設定され、８バイト目から１１バイト目は、メディアの終了ＬＢＡ（Ｌｏｇｉｃａｌ  Ｂｌｏｃｋ  Ａｄｄｒｅｓｓ）を示す情報が設定される。
【０１０６】
また、パフォーマンス・ディスクリプタにおいて、１２バイト目から１５バイト目は、データの読出しサイズを示す情報が設定され、この読み出しサイズを示す情報の単位は、キロバイト（ｋＢｙｔｅ）である。また、１６バイト目から１９バイト目は、データの読み出し時間を示す情報が設定される。読み出し時間を示す情報の単位はミリ秒（ｍｓｅｃ）である。
【０１０７】
また、パフォーマンス・ディスクリプタにおいて、２０バイト目から２３バイト目は、データの書き込みサイズを示す情報が設定され、この書き込みサイズを示す情報の単位は、キロバイト（ｋＢｙｔｅ）である。２４バイト目から２７バイト目は、データの書き込み時間を示す情報が設定される。書き込み時間を示す情報の単位はミリ秒（ｍｓｅｃ）である。この書き込みデータサイズ÷書き込み時間を設定することによって要求する書き込みストリームデータレート（記録速度）が結果的に設定される。
【０１０８】
ここで、書き込みサイズを示す情報と書き込み時間を示す情報とは、ゲット・パフォーマンス・コマンド（ＧＥＴ  ＰＥＲＦＯＲＭＡＮＣＥ  Ｃｏｍｍａｎｄ）のノミナル・パフォーマンス（Ｎｏｍｉｎａｌ  Ｐｅｒｆｏｒｍａｎｃｅ）の応答データのバイト列において、４バイト目から７バイト目のスタートパフォーマンスで示される情報（ｋＢｙｔｅ／Ｓｅｃ単位）と、１２バイト目から１５バイト目のエンドパフォーマンスにおいて示される情報（ｋＢｙｔｅ／Ｓｅｃ単位）とに対して、書き込みデータサイズ単位で演算して設定される。
【０１０９】
このようにして、セット・ストリーミング・コマンド、パフォーマンス・ディスクリプタとを情報処理部１からＤＶＤドライブ２に供給することによって、ＤＶＤドライブ２における記録速度の変更を指示することができるようにされる。なお、上述もしたように、記録速度の変更にともない必要となるデータは、ゲット・パフォーマンス・コマンドを用いることにより、ＤＶＤドライブ２から取得するようにされる。
【０１１０】
そして、ＤＶＤドライブ２のファームウエア制御部２１は、情報処理部１から記録速度の変更要求が提供されたときには、従来であればＯＰＣ処理を行うところであるが、この実施の形態においては、変更後の記録速度とメモリー２９に予め記録された各記録速度毎のレーザー光源に対する駆動電流値と、レーザー光源の累積使用時間に応じたレーザー光源に対する駆動電流値の補正係数に基づいて、最適な強度レベルのレーザー光を照射するようにレーザー光源に供給する駆動電流を制御することになる。
【０１１１】
［レーザー光の強度レベルの制御処理について］
次に、記録速度の変更にともなう、レーザー光の強度レベルの制御処理について、図１０〜図１２のフローチャートを参照しながら具体的に説明する。まず、この実施の形態のＤＶＤデジタルビデオカメラにＤＶＤが挿入（装填）された場合の処理について説明する。
【０１１２】
図１０は、この実施の形態のＤＶＤデジタルビデオカメラに記録用ＤＶＤ（例えばＤＶＤ−Ｒ）が挿入された場合の処理について説明するためのフローチャートである。図１０に示すように、記録装置に記録用ＤＶＤが装填されことが検知されると、情報処理部１、ＤＶＤドライブ２とも準備処理を開始する（ステップＳ１０１、ステップＳ１１１）。
【０１１３】
情報処理部１は、ステップＳ１０１において、ＤＶＤドライブ２に対し、必要な情報の取得などを指示するコマンドを供給し、ＤＶＤドライブ２は、装填されたＤＶＤをチャッキングして、スピンドルモータによって回転駆動させ、情報処理部１からの要求に応じて、必要な情報を取得するなどの処理を行う。
【０１１４】
そして、情報処理部１は、ＤＶＤドライブ２に対してドライブパラメータ取得要求を発行し（ステップＳ１０２）、これに応じてＤＶＤドライブ２は、所定のドライブパラメータを取得して、情報処理部１に提供するようにする（ステップＳ１１２）。この後、情報処理部１は、ＤＶＤドライブ２から必要な情報（ドライブパラメータ）を取得し（ステップＳ１０３）、そのパラメータをも参照して、必要がある場合には、データ転送レートの変更要求をドライブ部に対して発行する（ステップＳ１０４）。
【０１１５】
このデータ転送レートの変更要求は、ドライブ部に対する記録速度の変更要求であり、情報処理部１から所定のデータ転送レートで供給されるデータを洩れなく適正に記録することができるように、ＤＶＤドライブ２におけるスピンドルモータの回転速度やデータの処理速度の変更を指示するものである。
【０１１６】
ＤＶＤドライブ２は、情報処理部１からのデータ転送レートの変更要求に応じて、ＤＶＤを回転駆動させるスピンドルモータの回転速度やデータの処理速度を変更するようにして、記録速度を変更する（ステップＳ１１３）。
【０１１７】
この後、ＤＶＤドライブ２のファームウエア制御部２１は、図６、図７を用いて説明したメモリー２９に予め記憶されている情報の内の、変更後の記録速度に対応するレーザー光源の駆動電流値、および、レーザー光源の累積使用時間に応じたレーザー光源の駆動電流についての補正係数に基づいて、レーザー光源に供給する駆動電流を制御し、当該レーザー光源から照射されるレーザー光の強度レベルを当該記録速度時において最適なものとなるようにする（ステップＳ１１４）。
【０１１８】
そして、情報処理部１は、ＤＶＤドライブ２に対して書き込みコマンドを発行するとともに、記録しようとするデータのＤＶＤドライブ２への供給を開始するようにする（ステップＳ１０５）。これに対応して、ＤＶＤドライブ２は、情報処理部１からの書き込みコマンドの供給を受けると、情報処理部１から供給されるデータをステップＳ１１４においてレベル調整したレーザー光でＤＶＤに記録する処理を開始する（ステップＳ１１５）。
【０１１９】
このように、この実施の形態のＤＶＤデジタルビデオカメラにおいては、ＯＰＣ処理を行うことなく、記録速度に応じて最適な強度レベルのレーザー光を用いてデータのＤＶＤへの記録を行うことができる。しかも、レーザー光源の経時劣化特性をも考慮しているので、いつ記録処理を行うようにしても、常に最適レベルのレーザー光によって、ＤＶＤへのデータの記録を行うことができるようにされる。
【０１２０】
次に、記録モード（ＡＶモード、ＰＣモード）の切り換えが発生した場合の処理について説明する。図１１は、記録モードの切り換えが発生した場合の処理を説明するためのフローチャートである。
【０１２１】
情報処理部１のシステム制御部１８は、ユーザＩ／Ｆ部２０の所定の操作キーが操作されることにより、ＡＶモードからＰＣモードに切り換えるようにされたり、この逆にＰＣモードからＡＶモードに切り換えるようにされたりしたことを検知すると（ステップＳ２０１）、例えば、ユーザからの指示などに応じて、用いるファイルシステム（ＤＶＤビデオフォーマットか、ＤＶＤビデオレコーディングフォーマットか）を選択する（ステップＳ２０２）。
【０１２２】
そして、情報処理部１は、ＤＶＤドライブ２に対して、データ転送レートの変更要求を発行する（ステップＳ２０３）。このステップＳ２０３の処理は、当該ＤＶＤデジタルビデオカメラが、ＡＶモードに切り換えられたときには、記録速度を標準速（１倍速）にするようにする要求を発行し、ＰＣモードに切り換えられたときには、標準速よりも高速な速度となるようにする要求を発行する（ステップＳ２０３）。
【０１２３】
ＤＶＤドライブ２は、情報処理部１からのデータ転送レートの変更要求に応じて、ＤＶＤを回転駆動させるスピンドルモータの回転速度やデータの処理速度を変更するようにして、記録速度を変更する（ステップＳ２１１）。
【０１２４】
この後、ＤＶＤドライブ２のファームウエア制御部２１は、図６、図７を用いて説明したメモリー２９に予め記憶されている情報の内の、変更後の記録速度に対応するレーザー光源の駆動電流値、および、レーザー光源の累積使用時間に応じたレーザー光源の駆動電流についての補正係数に基づいて、レーザー光源に供給する駆動電流を制御し、当該レーザー光源から照射されるレーザー光の強度レベルを当該記録速度時において最適なものとなるようにする（ステップＳ２１２）。
【０１２５】
そして、情報処理部１は、ＤＶＤドライブ２に対して書き込みコマンドを発行するとともに、記録しようとするデータのＤＶＤドライブ２への供給を開始するようにする（ステップＳ２０４）。これに対応して、ＤＶＤドライブ２は、情報処理部１からの書き込みコマンドの供給を受けると、情報処理部１から供給されるデータをステップＳ２１２において、レベル調整したレーザー光でＤＶＤに記録する処理を開始する（ステップＳ２１３）。
【０１２６】
このように、この実施の形態のＤＶＤデジタルビデオカメラにおいては、ＡＶモードとＰＣモードとの間の切り換えが発生し、記録速度を自動的に変更する用にしたとしても、その変更後の記録速度に応じた強度レベルのレーザー光をＤＶＤに照射して、良好にデータの記録を行うことができるようにされる。
【０１２７】
次に、ファイナライズ処理を行うようにした場合のデータの記録処理について説明する。図１２は、ファイナライズ処理が発生した場合の記録処理を説明するためのフローチャートである。
【０１２８】
情報処理部１のシステム制御部１８は、ユーザＩ／Ｆ部２０の所定の操作キーが操作されることにより、ファイナライズ処理の実行が指示された、装填されていたＤＶＤが取り出されるようにされたことを検知すると（ステップＳ３０１）、ＤＶＤドライブ２に対して、データ転送レートの変更要求を発行する（ステップＳ３０２）。
【０１２９】
このステップＳ３０２の処理は、当該ＤＶＤデジタルビデオカメラにおいてファイナライズ処理が行われ、ＶＭＧ情報などの管理データが記録するようにされた場合に、記録速度は、標準速よりも高速な速度となるようにする要求を発行する（ステップＳ２０３）。
【０１３０】
ＤＶＤドライブ２は、情報処理部１からのデータ転送レートの変更要求に応じて、ＤＶＤを回転駆動させるスピンドルモータの回転速度やデータの処理速度を変更するようにして、記録速度を変更する（ステップＳ３１１）。
【０１３１】
この後、ＤＶＤドライブ２のファームウエア制御部２１は、図６、図７を用いて説明したメモリー２９に予め記憶されている情報の内の、変更後の記録速度に対応するレーザー光源の駆動電流値、および、レーザー光源の累積使用時間に応じたレーザー光源の駆動電流についての補正係数に基づいて、レーザー光源に供給する駆動電流を制御し、当該レーザー光源から照射されるレーザー光の強度レベルを当該記録速度時において最適なものとなるようにする（ステップＳ３１２）。
【０１３２】
そして、情報処理部１は、記録したデータからＶＭＧデータ等の必要な管理データを形成する（ステップＳ３０３）。この後、情報処理部１は、ＤＶＤドライブ２に対して書き込みコマンドを発行するとともに、ＶＭＧデータなどの記録しようとするデータのＤＶＤドライブ２への供給を開始するようにする（ステップＳ３０４）。
【０１３３】
これに対応して、ＤＶＤドライブ２は、情報処理部１からの書き込みコマンドの供給を受けると、情報処理部１から供給されるデータをステップＳ３１３において、レベル調整したレーザー光でＤＶＤに記録する処理を開始する（ステップＳ３１３）。
【０１３４】
このように、この実施の形態のＤＶＤデジタルビデオカメラにおいては、ファイナライズ処理時にＶＭＧ情報などの管理データを記録する場合においても、高速記録速度記録するようにすることができる。したがって、ファイナライズ処理の時間を短縮することができる。
【０１３５】
図１０〜図１２を用いて説明したように、この実施の形態のＤＶＤデジタルビデオカメラの場合には、記録すべきデータがカメラ部１１からのものなのか、外部機器Ｉ／Ｆ部１７を通じて受け付けたものなのかに応じて、すなわち、記録対象のデータの供給経路に応じて記録速度が自動的に変更され、この場合に、ＯＰＣ処理を行うことなく、メモリーに予め保存された情報に基づいて、変更後の記録速度に応じた最適な強度レベルのレーザー光によって記録を行うようにすることができる。
【０１３６】
また、この実施の形態のＤＶＤデジタルビデオカメラの場合には、ＤＶＤビデオフォーマットでデータを記録した場合に、ファイナライズ処理を行う場合であって、ＶＭＧ情報などの管理情報を記録する場合には、自動的に記録速度を高速に変更することができるようにされる。すなわち、記録するデータに応じて、記録速度が変更するようにされる。そして、この場合にも、ＯＰＣ処理を行うことなく、メモリーに予め保存された情報に基づいて、変更後の記録速度に応じて最適な強度レベルのレーザー光によって記録を行うようにすることができる。
【０１３７】
また、この実施の形態のＤＶＤデジタルビデオカメラの場合には、書き換え対応タイプ（ＲＷタイプ）のＤＶＤタイプのディスクに対してＤＶＤ−ＲＯＭ互換フォーマット、例えばＤＶＤビデオフォーマットでデータを記録し、ファイナライズ処理記録した場合に、その後に再生を楽しんだ時間経過後に、ファイナライズ解除してディスクにデータを追記する場合にも、さらにその記録時間経過後に再度ファイナライズ処理を行う場合にも、ＶＭＧ情報などの管理情報を書き直し記録する場合には、自動的に記録速度を高速に変更することができるようにされる。
【０１３８】
すなわち、記録するデータに応じて、記録速度が変更するようにされる。そして、この場合にも、ＯＰＣ処理を行うことなく、メモリーに予め保存された情報に基づいて、変更後の記録速度に応じて最適な強度レベルのレーザー光によって記録を行うようにすることができる。
【０１３９】
また、この実施の形態のＤＶＤデジタルビデオカメラの場合には、将来のＤＶＤ−書き換え対応ディスクフォーマット、例えばＤＶＤビデオレコーディングフォーマットでデータを記録した場合に、この記録ディスクに対して、ＤＶＤ標準再生機で撮影データをすべて再生可能な記録データディスクにする目的である終了処理記録をする場合がある。
【０１４０】
すなわち、デジタルカメラ撮影機能を付加されたＤＶＤデジタルビデオカメラの場合であって、デジタルカメラにとって標準なデータ圧縮フォーマット方式であってかつＤＶＤ標準とは異なるデータ圧縮フォーマット方式で静止画データを撮影記録する機能を有する場合である。
【０１４１】
ここで、ＤＶＤ標準とは異なるデータ圧縮フォーマットで撮影されて記録された静止画データを、ＤＶＤ標準のＭＰＥＧデータ圧縮フォーマットの静止画に変換処理してディスク上の所定位置にまとめて記録する終了処理を行なう場合、さらにその後、再生を楽しんだ時間経過後、あるいはまた、再度撮影を行なって、静止画像データの追加記録を楽しんだ時間経過後に、追加撮影記録された異なるデータ圧縮フォーマットの静止画データをＭＰＥＧデータ圧縮フォーマットに変換しなおし、所定のディスク位置にまとめなおして追加記録するようにする（再記録しなおすようにする）、当該終了処理記録を行なう場合には、自動的に記録速度を高速に変更することができるようにされる。
【０１４２】
すなわち、記録するデータに応じて、記録速度が変更するようにされる。そして、この場合にも、ＯＰＣ処理を行うことなく、メモリーに予め保存された情報に基づいて、変更後の記録速度に応じて最適な強度レベルのレーザー光によって記録を行うようにすることができる。
【０１４３】
また、ＤＶＤを装填して、これにデータを記録する場合や使用者によって記録速度の変更が指示された場合にも、ＯＰＣ処理を行うことなく、メモリーに予め保存された情報に基づいて、変更後の記録速度に応じて最適な強度レベルのレーザー光によって記録を行うようにすることができる。
【０１４４】
また、記録速度の変更にともなって、記録用のレーザー光の強度レベルを変更する場合には、レーザー光源の経時劣化特性をも考慮して、記録用のレーザー光の強度レベルを最適なレベルとなるように制御することができる。
【０１４５】
なお、上述した実施の形態において、メモリー２９には、最適な強度レベルの記録用のレーザー光を照射するようにレーザー光源を制御するための情報として、記録速度ごとに、レーザー光源に供給する駆動電流値を予め記録するものとして説明したが、これに限るものではない。
【０１４６】
例えば、最適な強度レベルの記録用のレーザー光を照射するようにレーザー光源を制御するための情報が所定量集まるまで、ＯＰＣ処理を実行するようにし、その後、ＯＰＣ処理を行うことなく、蓄積された情報に基づいて、記録用のレーザー光の強度レベルを制御するようにすることもできる。この場合には、ＯＰＣ処理は、所定のデータが蓄積されるまでの間しか行われないので、ＤＶＤの寿命を短くする恐れもない。また、レーザー光源の経時劣化特性も、ＯＰＣ処理を何度か行ううちに特定するようにすることもできる。
【０１４７】
また、上述した実施の形態においては、ＤＶＤデジタルビデオカメラの場合を例にして説明したが、これに限るものではない。ＤＶＤやＣＤ等の種々の光ディスクを記録媒体として用いる種々の記録機器や記録再生機器に適用することができる。
【０１４８】
また、レーザー光源も赤色レーザー光源に限るものではなく、波長が３８０ｎｍから４５０ｎｍのいわゆる青色レーザー光源を用いる場合にも、この発明を適用することができる。特に、青色レーザー光源を用いる場合には、赤色レーザー光源を用いる場合に比べて記憶容量も同一ディスク面積内でデータ量が約４倍に増えるので、従来のままだとＯＰＣ処理回数も撮影データ量や再生データ量も増え、撮影記録時間、再生時間、終了処理時間に使用するレーザー光源の使用時間の増加によって光パワーの経時変化量も増えることが予想されるが、この発明を用いることにより、ＯＰＣ処理回数を気にすることもない。
【０１４９】
【発明の効果】
以上説明したように、この発明によれば、記録対象データの供給経路や記録対象データの種類に応じて自動的に記録速度が変更される場合であっても、いわゆるＯＰＣ処理を行うことなく、最適な強度レベルのレーザー光でデータの記録を行うようにすることができる。また、レーザー光源の経時劣化特性をも考慮することができるので、レーザー光源の累積使用時間にかかわりなく、常時最適な強度レベルのレーザー光でデータの記録を行うようにすることができる。
【図面の簡単な説明】
【図１】この発明による装置、方法の一実施の形態が適用されたＤＶＤデジタルビデオカメラを説明するためのブロック図である。
【図２】図１に示したＤＶＤデジタルビデオカメラのＤＶＤドライブを説明するためのブロック図である。
【図３】ＤＶＤビデオフォーマットでデータを記録する場合のファイナライズ処理について説明するための図である。
【図４】レーザー光源の経時劣化特性について説明するための図である。とその補正について説明するための図である。
【図５】レーザー光源の経時劣化を考慮するとともに、記録速度に応じて最適な強度レレベルのレーザー光を照射するための駆動電流について説明するための図である。
【図６】メモリーに用意されるレーザー光の強度レベルを制御するための情報の一例を示す図である。
【図７】メモリーに用意されるレーザー光源の経時劣化特性を考慮したレーザー光の強度レベルを補正するための情報の一例を示す図である。
【図８】図１に示したＤＶＤデジタルビデオカメラにおいて、情報処理部からＤＶＤドライブに記録速度の変更を指示する場合などに用いられるコマンドセットについて説明するための図である。
【図９】図１に示したＤＶＤデジタルビデオカメラにおいて、情報処理部からＤＶＤドライブに記録速度の変更を指示する場合などに用いられるコマンドセットについて説明するための図である。
【図１０】ＤＶＤ挿入（装填）時の動作について説明するための図である。
【図１１】記録モードの切り換え時の動作について説明するための図である。
【図１２】ファイナライズ処理時の動作について説明するための図である。
【図１３】記録用ＤＶＤのＯＰＣ処理時に用いられるビーム強度テスト領域について説明するための図である。
【図１４】ＯＰＣ処理について説明するための図である。
【図１５】従来の光記録装置においての光記録媒体挿入（装填）時の動作の一例について説明するための図である。
【符号の説明】
１…情報処理部、１０…システムコントロールバス、１１…カメラ部、１２…ＬＣＤ、１３…ビデオ／オーディオＩ／Ｆ部、１３Ｍ…スクリーンメモリー、１４…圧縮／伸張信号処理部、１４Ｍ…圧縮／伸張メモリー、１５…データ制御部、１５Ｍ…データメモリー、１６…ドライブ制御部、１７…外部機器Ｉ／Ｆ、１８…システム制御部、１９…プログラムメモリー、２０…ユーザＩ／Ｆ部、２…ＤＶＤドライブ、２１…ファームウエア制御部、２２…ホストＩ／Ｆ部、２３…パケットデバイス情報部、２４…メモリー制御部、２５…ドライブキャッシュメモリー、２６…書き込み／読出し部、２７…光ヘッド部、２８…ディスク検出部、３０…ＤＶＤ
【図１】
2004288263.tif 000003
【図２】
2004288263.tif 000004
【図３】
2004288263.tif 000005
【図４】
2004288263.tif 000006
【図５】
2004288263.tif 000007
【図６】
2004288263.tif 000008
【図７】
2004288263.tif 000009
【図８】
2004288263.tif 000010
【図９】
2004288263.tif 000011
【図１０】
2004288263.tif 000012
【図１１】
2004288263.tif 000013
【図１２】
2004288263.tif 000014
【図１３】
2004288263.tif 000015
【図１４】
2004288263.tif 000016
【図１５】
2004288263.tif 000017